(57)【要約】【課題】積層しているカードから先頭のカードをピックアップするカードの供給において、カードピックアップ時のカード集積部のカード同士の張り付き力によるカードの重送の不具合を無くすることを、カードに対する摩擦力を強めた搬送ローラーを提供することで実現し、またこの搬送ローラーを用いたカード供給装置を提供することを目的とする。【解決手段】搬送ローラーの表層に表面に多数の微小の凹部からなるミクロ吸盤層を有することを特徴とする搬送ローラー。前記搬送ローラーを有するカード供給装置。【選択図】図１
2019073364.tif 000002
【特許請求の範囲】
【請求項１】
カードを送り出す搬送ローラーであって、
搬送ローラーの表層に、表面に多数の微小の凹部からなるミクロ吸盤層を有することを特徴とする搬送ローラー。
【請求項２】
請求項１に記載の搬送ローラーを有することを特徴とするカード供給装置。
【発明の詳細な説明】
【技術分野】
【０００１】
本発明は、カードプリンタなどにおいてカードを供給する際の、カードの送り出しにおける搬送ローラーに関する。
【背景技術】
【０００２】
カードプリンタなどにおいては、印刷前の複数のカードが積層状態にして装填され、この部位の複数のカードの内、先頭に位置するカード１枚だけを次工程に送る送り出し機構が備えられているカード供給装置がある（特許文献１参照）。
【先行技術文献】
【特許文献】
【０００３】
【特許文献１】特許第４４９５８１１号公報
【発明の概要】
【発明が解決しようとする課題】
【０００４】
図２に従来のカード供給装置２００の概略断面図を示す。カード集積部２においてカード１が積層しており、先頭のカード１に搬送ローラー５５が接している。搬送ローラー５５は、中心にローラー軸６があり、ローラー軸６の周りにゴムなどの弾性材料７から構成される。搬送ローラー５５によって、カード集積部２の先頭のカード１がカード排出口９からカードプリンタ本体２０などの次工程に送り出される（特許文献１参照）。しかしながら、このようなカード送り出し機構においては、先頭に位置するカード１枚だけを送りだす時に、積層状態になったカードにおいてカードとカードの面同士が張り付いて、カードが送り出せないことがあった。また、先頭とその隣のカードが密着した状態で同時にピックされてしまう（重送）こともあった。
【０００５】
カードを積層した場合、カードの面同士が静電気や鏡面密着により張り付くことが原因として考えられる。搬送ローラーによってカードピックアップするときに、搬送ローラーのカードに対する摩擦力を大きくすれば、搬送ローラーに接したカードのみの搬送力を増大でき、隣接したカードの張り付きに勝って、カードを送りだすことができる。
【０００６】
本発明では、積層しているカードから先頭のカードをピックアップするカードの供給において、カードピックアップ時に、カード集積部のカード同士の張り付き力に勝った搬送力により、重送の不具合が無いカード送り出しを実現する搬送ローラーを提供することを目的とする。
【課題を解決するための手段】
【０００７】
本発明は上記課題を解決するためになされたもので、本発明の請求項１に係る発明は、カードを送り出す搬送ローラーであって、搬送ローラーの表層に、表面に多数の微小の凹部からなるミクロ吸盤層を有することを特徴とする搬送ローラーである。
【０００８】
本発明の請求項２に係る発明は、請求項１に記載の搬送ローラーを有することを特徴とするカード供給装置である。
【発明の効果】
【０００９】
積層しているカードから先頭のカードを送り出すカードの供給において、カード送り出す時に、カード集積部のカード同士の張り付き力に勝った搬送力により、重送の不具合が無いカード送り出しを実現する搬送ローラーを提供できる。
【図面の簡単な説明】
【００１０】
【図１】本発明の搬送ローラーを具備したカード供給装置の概略断面図である。
【図２】従来の搬送ローラーを具備したカード供給装置の概略断面図である。
【図３】搬送ローラーの最大静止摩擦力の測定方法を示す説明図であり、（a）は本発明の搬送ローラーの最大静止摩擦力、（ｂ）は従来の搬送ローラーの最大静止摩擦力を測定するときの図である。
【発明を実施するための形態】
【００１１】
以下、本発明の搬送ローラーについて添付図面を参照して説明する。
【００１２】
図１は本発明の搬送ローラー５を具備したカード供給装置１００の実施形態を示す概略断面図である。
【００１３】
搬送ローラー５は、中心にローラー軸６があり、ローラー軸６の周りに弾性材料７があり、さらに最外周の表面にミクロ吸盤層８を有する。
【００１４】
ミクロ吸盤層８はミクロ吸盤から成り立つ層である。ミクロ吸盤は多数の微小な凹状の穴を有しており、ミクロ吸盤の層の上から押圧力を加えると、押圧したものに対して吸着力を発揮するものである。
【００１５】
カード供給装置１００は、カード１が密接するカード集積部２と、カード排出口９と、カード集積部２の先端部のカード１に接している搬送ローラー５から構成される。
【００１６】
カード集積部２の先端部のカード１に接している搬送ローラー５は、カード１に接しながら、摩擦力で、カード１を搬送させ、次工程である例えばカードプリンター本体２０に、カード排出口９からカードを供給する。
【００１７】
搬送ローラー５によって、カード１をカードピックアップするときに、搬送ローラー５のカード１に対する従来より摩擦力が大きいので搬送ローラーに接したカードのみの搬送力を増大でき、隣接したカードの張り付きを軽減することができる。
【００１８】
積層しているカードから先頭のカードをピックアップするカードの送り出しにおいて、カードピックアップ時に、カード集積部のカード同士の張り付き力を軽減させ、重送の不具合が無いカード送り出しのための搬送ローラーを提供できる。
【実施例】
【００１９】
以下に、本発明の具体的実施例について説明する。また、本発明は実施例に限定されるものではない。
【００２０】
搬送ローラー５は、中心にローラー軸６があり、ローラー軸６の周りに弾性材料７があり、さらに最外周の表面にミクロ吸盤層８を有する。
【００２１】
弾性材料７はゴムなどを使用し、ミクロ吸盤層８はミクロ吸盤アクリル発泡体などを使用する。
【００２２】
カード供給装置１００は、カード１が密接するカード集積部２と、カード排出口９と、カード集積部２の先端部のカード１に接している搬送ローラー５から構成される。
【００２３】
カード集積部２の先端部のカード１に接している搬送ローラー５は、カード１に接しな
がら、摩擦力で、カード１を搬送させ、次工程である例えばカードプリンター本体２０に、カード排出口９からカードを供給する。
【００２４】
本発明の搬送ローラーを試作し、従来のゴム製搬送ローラーとカード集積部の先頭カードに対する最大静止摩擦係数の比較を行った。
図３（a）は、本発明の搬送ローラーの最大静止摩擦力の測定方法を示す説明図である。
【００２５】
搬送ローラー５は、中心にローラー軸６があり、ローラー軸６の周りにゴム（弾性材料７）があり、さらに最外周の表面に、アクリル発泡体からなるミクロ吸盤層８を有する。
【００２６】
実際には、従来の搬送ローラー５５で弾性材料７がゴムであるゴムローラーの周りに、ミクロ吸盤アクリル発泡体テープ（株式会社ニトムズ製、吸着カーペットテープ30（品番T268））を巻いた。
【００２７】
カード１が密接するカード集積部２に、搬送ローラー５を密接させた。
【００２８】
カード集積部２の先端カード１の端部に紐を通じてプッシュプルゲージ（アイコーエンジニアリング株式会社製RX-100）接続し、カードに対する搬送ローラー５の最大静止摩擦力を測定した。測定はプッシュプルゲージが、引張り力を少しずつ強め、カードが動き始めたときの力を測定することにより行った。
カードは表面外装シート剥き出しのものを１０枚使用して測定を行った。
【００２９】
（比較例）
図３（ｂ）は、従来の搬送ローラーの最大静止摩擦力の測定方法を示す説明図である。
【００３０】
搬送ローラー５５は、中心にローラー軸６があり、ローラー軸６の周りにゴム（弾性材料７）がある。
【００３１】
カード１が密接するカード集積部２に、搬送ローラー５５を密接させた。
【００３２】
カード集積部２の先端カード１の端部に紐を通じてプッシュプルゲージ（アイコーエンジニアリング株式会社製RX-100）接続し、カードに対する搬送ローラー５の最大静止摩擦力を測定した。測定はプッシュプルゲージが、引張り力を少しずつ強め、カードが動き始めたときの力を測定することにより行った。
【００３３】
カードは実施例で使用した表面外装シート剥き出しのものを１０枚使用して測定を行った。
【００３４】
上記の実施例と比較例の最大静止摩擦力の測定結果を、下記の表１に示す。なお、この表において、カード番号の同じ番号のところでの実施例と比較例のデータは、同じカードを使用して得られたことを意味する。また、本発明の搬送ローラーの最大静止摩擦力の測定結果Phと、比較例の従来ローラーの最大静止摩擦力の測定結果Ｐｇの値から、Ｐｈ÷Ｐｇを算出したものを１列に加えた。
【００３５】
【表１】
2019073364.tif 000003
【００３６】
（評価結果）
表１の結果より、実施例である本発明の搬送ローラーの最大静止摩擦力の測定結果が、比較例である従来の搬送ローラーの最大静止摩擦力の測定結果より、すべてのカードで上
回り、その値が３１％から７１％までの上昇率になった。本発明の搬送ローラーの採用により、従来の搬送ローラーよりも最大静止摩擦力の増大になり、搬送力を増大できることが分かった。したがって重送の不具合が無いカード送り出しを実現する搬送ローラーを提供できることが分かった。
【符号の説明】
【００３７】
１・・・カード
２・・・カード集積部
５・・・搬送ローラー
６・・・ローラー軸
７・・・弾性材料
８・・・ミクロ吸盤層
９・・・カード排出口
２０・・・カードプリンター本体
３０・・・プッシュプルゲージ
４０・・・カード送り出し機構
５５・・・搬送ローラー
１００・・・カード供給装置
２００・・・カード供給装置
【図１】
2019073364.tif 000004
【図２】
2019073364.tif 000005
【図３】
2019073364.tif 000006